(57)【特許請求の範囲】
【請求項１】
前身頃（１１）と、後身頃（１２）と、股下部（１３）と、前記前身頃と前記後身頃の上縁部に形成される胴回り部（１５）と、一対の脚開口部（１６）とを有する生理用ショーツにおいて、
少なくとも前記股下部（１３）を除く部分で通気性を有し、下腹部に当接する部分と腰部に当接する部分の少なくとも一方に、ショーツの他の領域よりも消費熱量（ｋｃａｌ／ｍ2・ｈｒ）の少ない保温領域が設けられており、
前記保温領域の少なくとも一部には、水和熱により発熱する多価金属塩が添加された架橋型アクリレート樹脂が設けられていることを特徴とする生理用ショーツ。
【請求項２】
前記架橋型アクリレート樹脂は、温度が２０℃、相対湿度が６５％の環境下で、水分率２０％以上を有する請求項１記載の生理用ショーツ。
【請求項３】
前身頃（１１）と後身頃（１２）を形成するショーツ本体の内側に、前記保温領域を形成する保温布（２０）が設けられている請求項１または２記載の生理用ショーツ。
【請求項４】
前記保温布（２０）は、起毛処理が施されている請求項３記載の生理用ショーツ。
【請求項５】
前記保温布（２０）の嵩がショーツ本体の嵩に対して１．８倍以上である請求項３または４記載の生理用ショーツ。
【請求項６】
前記保温領域に、前記架橋型アクリレート樹脂を含む繊維が編みこまれている請求項１または２記載の生理用ショーツ。
【請求項７】
前記保温領域の消費熱量が、ショーツの保温領域以外の領域の消費熱量に対し７０％以下である請求項１ないし６のいずれかに記載の生理用ショーツ。
【発明の詳細な説明】
【０００１】
【発明の属する技術分野】
本発明は、生理用ナプキンを装着する股下部が通気性で且つ下腹部などに当たる部分での保温効果の高い生理用ショーツに関する。
【０００２】
【従来の技術及び発明が解決しようとする課題】
従来の生理用ショーツは、ナイロンなどを主体とする通気性素材で形成され、生理用ナプキンの装着部である股下部の通気性を確保し蒸れやかぶれを抑制する対策がなされていた。
【０００３】
しかしながら従来の生理用ショーツは、全体が前記通気性素材で形成され、また薄地であるため、下腹部や腰が冷えやすくなり血行が悪くなる。特に月経中には、下腹部や腰が冷えると血管運動神経の血行障害により下腹部痛や腰痛を生じ、体調不良になりやすくなる。
【０００４】
従来では、血行を良くし痛みを和らげるために、重ね着をしたり、あるいはカイロで下腹部や腰を暖めるなどの方法が取られていた。
【０００５】
しかし重ね着をすると、ウエスト回りが太くなり見た目が悪くなったり、またカイロを使用すると、前記カイロと当接する身体部分のみが、局部的に熱くなるため低温やけどなどを起しやすい。
【０００６】
本発明は上記問題を解決するためのものであり、特に下腹部や腰部に当たる部分に保温領域を設けることで、保温効果を高めることが可能なショーツを提供することを目的としている。
【０００７】
【課題を解決するための手段】
本発明は、前身頃と、後身頃と、股下部と、前記前身頃と前記後身頃の上縁部に形成される胴回り部と、一対の脚開口部とを有する生理用ショーツにおいて、
少なくとも前記股下部を除く部分で通気性を有し、下腹部に当接する部分と腰部に当接する部分の少なくとも一方に、ショーツの他の領域よりも消費熱量（ｋｃａｌ／ｍ2・ｈｒ）の少ない保温領域が設けられており、
前記保温領域の少なくとも一部には、水和熱により発熱する多価金属塩が添加された架橋型アクリレート樹脂が設けられていることを特徴とするものである。
【０００８】
例えば、前身頃と後身頃を形成するショーツ本体の内側に、前記保温領域を形成する保温布が設けられている。
【０００９】
前記保温領域の消費熱量が、ショーツの保温領域以外の領域の消費熱量に対し７０％以下であることが好ましい。
【００１１】
前記架橋型アクリレート樹脂は、温度が２０℃、相対湿度が６５％の環境下で、水分率２０％以上を有するものである。
【００１２】
さらに前記保温布を設ける場合、この保温布は、起毛処理が施され、前記保温布の嵩がショーツ本体の嵩に対して１．８倍以上とされ、嵩高であることが好ましい。
【００１３】
本発明では、ショーツ本体内に前記架橋型アクリレート樹脂を含む繊維を部分的に編み込み、あるいはショーツ本体の生地を部分的に処理することにより前記保温領域を形成し、保温効果を高め、下腹部や腰部の冷えを抑制することもできる。
【００１４】
また特に本発明のショーツは、通気性を確保しているため、蒸れを防止できる。
【００１５】
前記架橋型アクリレートに添加される前記多価金属塩は、Ｃａ，Ｍｇ，Ａｌ等の多価金属の硝酸塩、塩酸塩、あるいは硫酸塩より選ばれた１種または２種以上の塩によって構成されている。例えば身体から出る汗などの水分が保温布に吸収されると、これら多価金属のイオンの電荷により、Ｈ2Ｏが強く引き付けられ、いわゆる水和現象が起る。水和が起ると、多量のエネルギーが放出され熱が発せられて、保温効果を高めることが可能である。
【００１６】
さらに前記保温布に、起毛処理が施されていると、前記起毛間に温められた空気が溜められ、より保温効果を高めることが可能である。
【００１７】
【発明の実施の形態】
図１は本発明の実施の形態の生理用ショーツを示す斜視図であり、図２は前記ショーツの内側面を示す展開図である。図２では、前身頃１１、股下部１３、後身頃１２が連続するＹ方向を縦方向とし、これと直交するＸ方向を横方向とする。
【００１８】
本発明における生理用のショーツは、前身頃１１、後身頃１２、股下部１３を形成するショーツ本体４０を有している。このショーツ本体４０の前記前身頃１１の側縁１１ａと前記後身頃１２の側縁１２ａとが接合され、前記前身頃１１の側縁１１ｂと前記後身頃１２の側縁１２ｂとが接合されることで、胴回り部１５および脚開口部１６、１６が形成されている。
【００１９】
本発明における前記ショーツ本体４０は、肌触りが良く且つ通気性の材質で形成されることが好ましい。前記ショーツ本体４０は、ナイロンを主体とした繊維で形成される。また前記ショーツ本体の弾性伸縮性を向上させるために、ポリウレタン繊維を付加することが好ましい。また、吸水性、保温性の向上のために、綿繊維を添加することが好ましい。
【００２０】
例えば前記ショーツ本体４０は、ナイロン繊維糸が６１質量％、ポリウレタン繊維糸が９質量％、綿が２２質量％、ポリノジックが４質量％、アクリレート繊維糸が４質量％で編まれた織布で形成される。ここで、前記アクリレート繊維とは、アクリロニトリルと、アクリル酸エステルなどのモノマーとの共重合体である。また、前記股下部１３には、通気性の防水布１８が接合されていることが好ましい。
【００２１】
図１及び図２に示すように、ショーツ本体４０の前身頃１１のうち下腹部と当する部分１１ｃ、及び後身頃１２のうち腰と当接する部分１２ｃには、保温布２０が重ねられて縫合された保温領域とされている。
【００２２】
前記保温布２０は、前記ショーツ本体４０を構成する生地に比べて、小さい消費熱量（ｋｃａｌ／ｍ2・ｈｒ）を有する織布である。
【００２３】
前記保温布２０が、ショーツ本体４０に重ねられていることで、保温効果を高め、下腹部及び腰の冷えを抑制することができ、血行を良くすることが可能である。血行を良くすることで、特に生理中には、下腹部痛や腰痛を和らげることが可能になる。
【００２４】
また前記保温布２０は、ショーツ本体４０の下腹部及び腰と当接する部分にのみ設けられている。よってショーツ本体４０の全体の通気性を損なうことがない。特に股下部１３の周辺領域は、通気性材料で形成されているので、生理用ナプキン２５を装着する部分の周囲での蒸れを防止できる。
【００２５】
図２に示すものでは、前記保温布２０の下縁部２０ａ，２０ａが、Ｖ字状に湾曲して股下部１３へ向けて延びているため、保温布２０が重ねられていない通気性の良い領域をなるべく広く確保し、しかもＶ字状の下縁部２０ａ，２０ａが下腹部を広い面積で覆うことができるようになっている。また、前記保温布２０は直方形状で形成され、その長手方向が図示Ｘ方向に向けられてショーツ本体４０に接合されていてもよい。
【００２６】
また、図３に示すように、前記保温布２０が、前身頃１１の右側縁１１ａから左側縁１１ｂにかけてのみ接合され、後身頃１２には接合されていないものであってもよい。この実施の形態では、ショーツを穿くと前記保温布２０が下腹部に当接するため、前記下腹部への保温効果を高めることができる。逆に前記保温布２０が、後身頃１２のみに設けられてもよく、この場合、腰への保温効果を高めることができる。
【００２７】
あるいは、図４に示すように、前記保温布２０が、前身頃１１の中央部分にのみ接合されていてもよい。同様に前記保温布２０が、後身頃１２の中央部分にのみ接合されていてもよい。これによっても、ショーツをはいたときに、下腹部あるいは腰に前記保温布２０が当接して、前記下腹部及び腰への保温効果を高めることができる。
【００２８】
前記保温布２０は、架橋型アクリレート繊維とアクリル繊維とが混紡された糸で形成されている。前記糸での質量比は、前記架橋型アクリレート繊維が３０％、アクリル繊維が７０％であり、１９２ｄｔｅｘ程度である。保温布２０は前記混紡糸のみで形成された織布、または前記混紡糸と綿などの他の繊維とで形成された織布である。
【００２９】
前記架橋型アクリレート繊維を形成する樹脂は、アクリロニトリル（ＣＨ2＝ＣＨ−ＣＮ）とモノマーとしてアクリル酸メチルとの共重合体を主体としている。前記モノマーの他の例としては、ハロゲン化ビニル、ハロゲン化ビニリデン、ｐ−スチレンスルホン酸等のスルホン酸含有モノマーやその塩、イタコン酸等のカルボン酸含有モノマーやその塩、アクリルアミド、スチレン、酢酸ビニル等を挙げることができる。
【００３０】
本発明の架橋型アクリレート繊維は、さらに前記アクリレートに、ヒドラジン処理が施され、ニトリル基（−ＣＮ）が架橋結合して架橋型とされている。ヒドラジン（ＮＨ2−ＮＨ2）としては、水加ヒドラジン、硫酸ヒドラジン等を例示できる。
【００３１】
さらに加水分解処理によって、残存するニトリル基の一部がカルボキシル基（−ＣＯＯＨ）に、残部のニトリル基がアミド基（−ＣＯＮＨ2）に変換される。この変換処理は、アルカリ金属水酸化物、アンモニア等の塩基水溶液や強酸等の含受によって行える。そして架橋型アクリレート繊維は、ＰＨが４．０〜７．０に調整されて、前記カルボキシル基の一部が、Ｃａ，Ｍｇ，Ａｌ等の多価金属の硝酸塩、塩酸塩、硫酸塩より選ばれた１種または２種以上の塩を添加した金属塩とされる。
【００３２】
ＰＨを４．０〜７．０に調整するのは、カルボキシル基の一部を解離状態にして、繊維内部にまで金属塩への変換を均一に素早く行うためである。
【００３３】
本発明の架橋型アクリレート樹脂の架橋構造を簡単に示した化学構造を化１に示す。
【００３４】
【化１】
0003748033.tif 000002
【００３５】
化１は、アクリロニトリルと他のモノマーとの重合によって形成された主鎖４２，４３を有しており、これら主鎖どうしが、橋かけＡ及びＢによって架橋結合されている。橋かけＡは、ニトリル基がヒドラジン処理によって架橋結合された部分である。また橋かけＢは、カルボキシル基に変換された一部が、多価金属Ｍの硝酸塩等によって金属塩とされた部分である。
【００３６】
前記架橋型アクリレート樹脂は、多価金属Ｍを含有するため、大気中の水分や汗などの水分が前記アクリル繊維に吸収されると、前記水分は、多価金属イオンに強く引き寄せられ、いわゆる水和の現象が起る。この水和によりエネルギーが放出され、熱が発せられるため、前記保温布２０の保温効果が高くなる。
【００３７】
また上記の架橋型アクリレート樹脂は、温度が２０℃、相対湿度が６５％の環境下で、２０％以上の水分率を得ることが可能である。よって前記保温布２０が保湿性を有し、この保湿性によっても肌に暖かみを感じやすくなる。
【００３８】
また、前記混紡糸を形成するアクリル繊維を形成する樹脂は、アクリロニトリルの付加重合体である。
【００３９】
また前記保温布２０は、起毛処理が施されて嵩高とされていることが好ましい。このように肌に接触する面に起毛した保温布２０を使用することにより、暖められた空気は、起毛間に溜められ、これによって保温効果をより一層高めることが可能である。
【００４０】
なお、本発明では、ショーツ本体の一部である保温領域に前記架橋型アクリレート樹脂を含む糸または繊維が編み込まれていてもよいし、または前記架橋型アクリレート樹脂によりショーツ本体の一部が処理されて保温領域が形成されていてもよい。
【００４１】
【実施例】
実施例となる保温布２０は、化１に示す架橋型アクリレート樹脂で形成された架橋型アクリレート繊維と、アクリル繊維との混紡糸（架橋型アクリレートが７０質量％、アクリルが３０質量％：１９２ｄｔｅｘ）で形成された織布であり、表面を起毛処理した。表１に示すように、厚みは２．２ｍｍ、目付け１７４ｇ／ｍ2、嵩１２．６ｃｍ3／ｇとした。
【００４２】
ショーツ本体４０を形成する織布は、３３ｄｔｅｘのナイロン繊維糸が６１質量％、２２ｄｔｅｘのポリウレタン繊維糸が９質量％、８０／１番手の綿糸が２２質量％、ポリノジックが４質量％、アクリレート繊維が４％含まれたものである。なお前記アクリレートは、アクリロニトリルとアクリル酸エステルとの共重合体で架橋型でない。
【００４３】
表１に示すように、ショーツ本体４０を形成する織布は、厚み０．７９ｍｍ、目付け１２９ｇ／ｍ2、嵩６．１３ｃｍ3／ｇとした。
【００４４】
また、表１には、ショーツ本体４０に保温布２０を重ねて縫合したものにおいて、前記厚み、目付け、嵩高性を測定して示している。
【００４５】
また、ショーツ本体、保温布、ショーツ本体と保温布を重ねたものについて、消費熱量を測定した。
【００４６】
（消費熱量の測定方法）
水分間欠吐出ポンプにより熱板に形成された６個の模擬発汗孔に模擬汗を供給する。前記熱板の上にポリエステル織物からなる模擬皮膚を載せて前記模擬皮膚に模擬汗を拡散させる。この模擬汗は水を使用した。前記保温布などの測定試料を１３ｃｍ×９ｃｍの大きさにカットして、前記模擬皮膚の上に載せる。そして模擬発汗を２０分間継続させ、５分ごとに測定した放熱量の平均値を求めた。
【００４７】
熱板の温度は３７℃、模擬発汗速度は０．６８ｍｇ／ｃｍ2／ｍｉｎ、測定環境は、温度３２℃、総体湿度６８％、気流１５ｍ／ｓｅｃ以下とした。
【００４８】
【表１】
0003748033.tif 000003
【００４９】
消費熱量は、ショーツ本体４０が１８６（ｋｃａｌ／ｍ2・ｈｒ）、保温布２０が１２６（ｋｃａｌ／ｍ2・ｈｒ）、ショーツ本体４０に保温布２０を縫合した部分で、１０９（ｋｃａｌ／ｍ2・ｈｒ）であった。
【００５０】
保温布２０の消費熱量は、ショーツ本体４０の消費熱量に比べて低くなっており、したがって前記保温布２０はショーツ本体４０に比べて熱が奪われ難く、保温効果が、ショーツ本体よりも優れていることがわかる。
【００５１】
保温布２０の消費熱量は、ショーツ本体４０の消費熱量の７０％以下となっており、本発明における保温布２０より、適切に保温効果を高めることが可能である。
【００５２】
前記ショーツ本体４０に保温布２０を接合したショーツでは、消費熱量は、１０９（ｋｃａｌ／ｍ2・ｈｒ）にまで低くなり、この重ね構造とすることで、ショーツ本体４０と保温布２０との相乗的な保温効果が得られる。
【００５３】
次に、前記各試料について、最大熱流速度、通気性、空隙性を調べた。なおこの実験に使用した試料は、保温布２０は表１と同じであるが、ショーツ本体４０は、厚みが０．８９ｍｍ、目付が１６５ｇ／ｍ2、嵩が５．４ｃｍ3／ｇ、消費熱量が１９８（ｋｃａｌ／ｍ2・ｈｒ）のものである。
【００５４】
前記ショーツ本体４０の最大熱流速度は、０．０３８（ｃａｌ／ｃｍ2・ｓｅｃ）であるのに対し、保温布２０の最大熱流速度は、０．０２（ｃａｌ／ｃｍ2・ｓｅｃ）であった。最大熱流速度は、値が小さいほど接触の瞬間、温かさを感じるので、保温布２０の方が、ショーツ本体４０に比べて、接触温感が高いことがわかる。
【００５５】
また、ショーツ本体４０の通気性は、１０３（ｃｃ／ｃｍ2・ｓｅｃ）であるのに対し、保温布２０の通気性は、１９０（ｃｃ／ｃｍ2・ｓｅｃ）であった。通気性は、値が大きいほど通気性が良好なので、保温布２０の方がショーツ本体４０に比べて通気性が良いことがわかる。
【００５６】
次に、ショーツ本体４０の空隙率は、８５％であるのに対し、保温布２０の空隙率は９３％であった。このように保温布２０の方がショーツ本体４０に比べて空隙率が高いため、前記ショーツ本体４０よりも接触したときの温かさを感じるようになる。
【００５７】
【発明の効果】
以上に説明したように本発明の生理用ショーツでは、下腹部及び／または腰と当接する部分に、ショーツ本体よりも低い消費熱量を有する保温領域を形成することで、保温効果を高めることができ、下腹部及び腰の冷えを抑制できる。したがって、生理中などに血行を促進させることができ、下腹部痛や腰痛を和らげることが可能になる。
【００５８】
特に本発明では、本領域の少なくとも一部に、水和熱により発熱する多価金属塩が添加された架橋型アクリレート樹脂を使用しているので、大気中の水分や汗が触れたときに保温布が発熱し、保温効果を高めることが可能になっている。
【図面の簡単な説明】
【図１】本発明の実施の形態の生理用ショーツを示す斜視図、
【図２】図１の生理用ショーツの展開図、
【図３】他の実施形態の生理用ショーツの展開図、
【図４】他の実施形態の生理用ショーツの展開図、
【符号の説明】
１１  前身頃
１２  後身頃
１３  股下部
１５  胴回り部
１６  脚開口部
１８  非伸縮部材
２０  保温布
２５  生理用ナプキン
４０  ショーツ本体
【図１】
0003748033.tif 000004
【図２】
0003748033.tif 000005
【図３】
0003748033.tif 000006
【図４】
0003748033.tif 000007